(57)【特許請求の範囲】
【請求項１】
一枚のブランクシートから一体的に打ち抜かれた箱体形成片からなる箱体と、一枚のブランクシートから一体的に打ち抜かれた中枠形成片からなり上記箱体に挿入される中枠が設けられ、この中枠には、上記箱体の内側に位置しこの箱体の底面に対して略平行に位置する仕切穴板と、上記仕切穴板の両側に連設され箱体の深さよりも短く形成されている一対の保持板とが設けられ、上記仕切穴板には被収容物の水平方向断面形状とほぼ等しい透孔が形成され、上記一対の保持板には上記仕切穴板に対して略平行な１本の折罫線が各々設けられ、上記一対の保持板は上記折罫線で互いに近づく方向へ折り曲げられ、上記各折罫線上の上記仕切穴板の上記透孔に対向する位置には、上記折罫線に沿って互いに対向するように形成された側面用透孔が設けられ、この側面用透孔により、被収容物の側面が嵌合する当接部が並んで形成されていることを特徴とする包装用箱。
【請求項２】
上記当接部には、被収容物の側面と底面が嵌合することを特徴とする請求項１記載の包装用箱。
【請求項３】
上記各保持板には、その側方に連設され上記箱体の底面に重ねられる底面板が設けられていることを特徴とする請求項１または２記載の包装用箱。
【請求項４】
一枚のブランクシートから一体的に打ち抜かれ被収容物を保持する枠体が設けられ、この枠体には、被収容物の底面に対して略平行に位置する仕切穴板と、上記仕切穴板の両側に連設された一対の保持板とが設けられ、上記仕切穴板には被収容物の水平方向断面形状とほぼ等しい透孔が形成され、上記一対の保持板には上記仕切穴板に対して略平行な１本の折罫線が各々設けられ、上記一対の保持板は上記折罫線で互いに近づく方向へ折り曲げられ、上記各折罫線上の上記仕切穴板の上記透孔に対向する位置には、上記折罫線に沿って互いに対向するように形成された側面用透孔が設けられ、この側面用透孔により、被収容物の側面が嵌合する当接部が並んで形成されていることを特徴とする物品収容枠。
【発明の詳細な説明】
【０００１】
【発明の属する技術分野】
この発明は、緩衝用の中枠が設けられ薬瓶等を収容する包装用箱と物品収容枠に関する。
【０００２】
【従来の技術】
従来、アンプルやバイヤル等の薬瓶を収納した包装用箱は、内部の薬瓶同士が搬送中にぶつかり合って傷ついたり割れたりしないように、仕切板が設けられているものがあった。例えば、本願出願人による特開平１１−１２４１２９号公報に開示されている緩衝仕切箱があり、この緩衝仕切箱の内側には底面に対して平行に位置する仕切穴板が設けられ、仕切穴板には被収容物の水平方向断面形状とほぼ等しい透孔が複数個ほぼ等間隔に形成されている。
【０００３】
この緩衝仕切箱の使用方法は、仕切穴板の透孔に被収容物を差し込んで位置決めし、上蓋を閉じて包装する。これにより、被収容物が仕切穴板の透孔間の間隔を隔てて保持され、互いに直接ぶつかり合わないため、外部からの衝撃に対して被収容物が破損しにくい。
【０００４】
【発明が解決しようとする課題】
上記従来の技術の場合、被収容物は紙一枚で形成された仕切穴板で側周面を水平に一周して保持されているだけであり、不安定で十分な緩衝効果が得られないものであった。
【０００５】
この発明は上記従来の問題点に鑑みてなされたものであり、安定して被収容物を保持し高い緩衝効果を有する包装用箱と物品収容枠を提供することを目的とする。
【０００６】
【課題を解決するための手段】
この発明は、紙やプラスチックシート等の一枚のブランクシートから一体的に打ち抜かれた箱体形成片からなる箱体と、一枚のブランクシートから一体的に打ち抜かれた中枠形成片からなり上記箱体に挿入される中枠が設けられ、この中枠には、上記箱体の内側に位置しこの箱体の底面に対して略平行に位置する仕切穴板と、上記仕切穴板の両側に連設され箱体の深さよりも短く形成されている一対の保持板とが設けられ、上記仕切穴板には被収容物の水平方向断面形状とほぼ等しい透孔が形成され、上記一対の保持板は上記仕切穴板に対して略平行な折罫線で互いに近づく方向へ折り曲げられこの折罫線上の上記仕切穴板の上記透孔に対向する位置に被収容物の側面が嵌合する凹部や側面用透孔等の当接部が並んで形成されている包装用箱である。
【０００７】
また、上記当接部に、被収容物の側面と底面が嵌合するものでも良い。上記各保持板には各々１本の折罫線が設けられ、この折罫線に沿って互いに対向するように形成された側面用透孔により上記当接部が設けられている。さらに、上記各保持板には、その側方に連設され上記箱体の底面に重ねられる底面板が設けられている。
【０００８】
この発明の包装用箱は、被収容物を中枠で保持した状態で収納する。被収容物は、中枠の仕切穴板の透孔により水平に一周して保持され、さらに中枠の保持板の透孔等の当接部により側面が保持される。これにより、被収容物は側面を長手方向に複数箇所で保持され、高い緩衝効果を有し確実に保護される。
【０００９】
またこの発明は、一枚のブランクシートから一体的に打ち抜かれ種々の商品等の被収容物を保持する中枠等の枠体が設けられ、この枠体には、被収容物の底面に対して略平行に位置する仕切穴板と、上記仕切穴板の両側に連設された一対の保持板とが設けられ、上記仕切穴板には被収容物の水平方向断面形状とほぼ等しい透孔が形成され、上記一対の保持板は上記仕切穴板に対して略平行な折罫線で互いに近づく方向へ折り曲げられこの折罫線上の上記仕切穴板の上記透孔に対向する位置に被収容物の側面が嵌合する凹部や側面用透孔等の当接部が並んで形成されている物品収容枠である。
【００１０】
また、上記物品収容枠の上記当接部に、被収容物の側面と底面が嵌合するものでも良い。上記各保持板には各々１本の折罫線が設けられ、この折罫線に沿って互いに対向するように形成された側面用透孔により上記当接部が設けられている。さらに、上記各保持板には、その側方に連設された底面板が設けられている。
【００１１】
【発明の実施の形態】
以下、この発明の実施形態について図面に基づいて説明する。図１〜図４は、この発明の一実施形態の包装用箱１０について示したもので、包装用箱１０は、薬瓶やアンプル等を収容する箱体１２が設けられ、箱体１２は図３に示すように厚紙等の一枚のブランクシートを打ち抜いて形成された箱体形成片１４を組み立てて設けられている。
【００１２】
箱体形成片１４は、上蓋１６，側面板１８，底面板２０、側面板２２が順に一体に連接して形成され、各々折罫線２４，２６，２８で区切られている。底面板２０の両端部には、側面板３０，３２が折罫線３４，３６で区切られて設けられ、さらに側面板３０，３２には、折罫線３８，４０を介してフラップ４２，４４が設けられている。そして、側面板１８の両端部には、組立状態で側面板３０，３２の内側に糊付けされる糊付片４６，４８が折罫線５０，５２で区切られて形成されている。また、側面板２２の両端部には、組立状態で側面板３０，３２の内側に糊付けされる糊付片５４，５６が折罫線５８，６０で区切られて設けられている。
【００１３】
そして、上蓋１６の先端縁の折罫線６２から続いて、組立状態で側面板２２の外側に糊付けされる糊付片６４が設けられている。糊付片６４の折罫線６２に近い部分には、折罫線６２に対して平行に、一対の断続する切込線６５で形成された破断部６６が、糊付片６４の端から端まで形成されている。
【００１４】
そして、箱体形成片１４で組み立てられた箱体１２には、物品収容枠である中枠６８が入れられている。中枠６８は、図２に示すように厚紙等の一枚のブランクシートを打ち抜いて形成された中枠形成片７０を組み立てて設けられている。
【００１５】
中枠形成片７０は、底面板７２，保持板７４，仕切穴板７６，保持板７８が一体に連接して形成されている。底面板７２と仕切穴板７６は、箱体１２の底面板２０の約１／２の幅に形成されており、保持板７４，７８の、図面上左右の幅は、箱体１２の側面板１８，２２の幅よりも短く形成されている。さらに、保持板７８の側方には、組立状態で底面板７２の内側に糊付けされる糊付片８０が連接して形成されている。底面板７２，保持板７４，仕切穴板７６，保持板７８，糊付片８０は、各々折罫線８２，８４，８６，８８で区切られ、折り曲げを容易にするため断続する切込が各折罫線８２，８４，８６，８８に沿って設けられている。保持板７４の中心には、折罫線８２，８４に対して平行な折罫線９０が設けられ、折罫線９０上には当接部となる楕円形の側面用透孔９２が等間隔に並んで形成されている。保持板７８の中心にも、折罫線８６，８８に対して平行な折罫線９４が形成され、折罫線９４上には当接部となる楕円形の側面用透孔９６が側面用透孔９２と対向するように等間隔に並んで形成されている。仕切穴板７６には、透孔９２，９６よりも径が大きい透孔９８が、一対の側面用透孔９２，９６の間に等間隔で形成されている。
【００１６】
そして、底面板７２の両端縁部には、組立状態で後述する側面板１０８，１１０に糊付けされる糊付片１００，１０２が、折罫線１０４，１０６で区切られて形成されている。糊付片１００，１０２の、図２における上下方向長さは、箱体形成片１４の側面板３０，３２の、図３における上下方向長さより短く、保持板７４の、図２における左右方向長さよりも少し短く形成されている。
【００１７】
また、仕切穴板７６の両端部には、糊付片１００，１０２が糊付けされる側面板１０８．１１０が、折罫線１１２，１１４で区切られて形成されている。側面板１０８，１１０の、折罫線１１２，１１４に対して直角方向の長さは、糊付片１００，１０２とほぼ同じに形成されている。
【００１８】
次にこの実施形態の包装用箱１０の組立方法について図面に基づいて説明する。まず、中枠６８の組立方法について説明する。なお、ここでは図２がこの中枠形成片７０の表側を見たものであり、図２において紙面表側が凸になる折り方を正折り、紙面表側が凹になる折り方を逆折りと称する。先ず、折罫線８６を正折りし、糊付片８０の表面に糊を塗布する。そして折罫線８２を正折りし、底面板７２の裏面を糊付片８０の表面に糊付けする。次に商品を収容し包装する工場等において、折罫線８２，８４，８６，８８を各々９０°になるように正折りして、四角形の箱体にする。次に、保持板７４，７８の折罫線９０，９４を所定の角度に逆折りし、保持板７４，７８の折罫線９０，９４が互いに近くように屈曲させる。そして糊付片１００を折罫線１０４で９０°に正折りし、糊付片１００の表面に糊付けし、そして側面板１０８を折罫線１１２で９０°に正折りし、糊付片１００の表面に糊付けする。このとき糊付け片１００の先端縁部は折罫線１１２に、また側面板１０８の先端縁部は折罫線１０４に達し、仕切穴板７６と底面板７２の距離は保持板７４，７８の幅よりも短く抑えられ、保持板７４，７８は、折罫線９０，９４で所定角度に折られた状態で保持される。そして反対側も同様に、糊付片１０２を折罫線１０６で９０°に正折りし、糊付片１０２の表面に糊付けし、そして側面板１１０を折罫線１１４で９０°に正折りし、糊付片１０２の表面に糊付けする。これにより、確実に保持板７４，７８は、折罫線９０，９４で所定角度に折られた状態で保持される。そして、一つの箱体１２につき、同形の中枠６８を２個組み立てる。
【００１９】
次に箱体１２の組立方法について説明する。なお、ここでは図３がこの箱体形成片１４の表側を見たものであり、図３において紙面表側が凸になる折り方を正折りと称する。まず、折罫線２６，２８を９０°に折り、側面板１８，底面板２０，側面板２２を互いに直角とし、さらに糊付片４６，５４を折罫線５０，５８で９０°に折り、糊付片４６，５４の表面に糊付けする。そして側面板３０を折罫線３４で９０°に折り、糊付片４６，５４に糊付けする。同じように糊付片４８，５６を折罫線５２，６０で９０°に折り、糊付片４８，５６の表面に糊付けする。そして側面板３２を折罫線３６で９０°におり、糊付片４８，５６に糊付けする。
【００２０】
次に、予め組み立てた二つの中枠６８を、箱体１２の底部に並べて入れる。このとき中枠６８の仕切穴板７６は、箱体１２の内側で底面板２０に対して平行に位置する。そして、中枠６８の仕切穴板７６に形成された透孔９８に、図４に示すように、被収容物の薬瓶１１６等を差し込む。このとき、図４に示すように、薬瓶１１６の側面の上方寄りには、透孔９８の周縁部が一周してわずかなゆとりを有して当接する。そして、薬瓶１１６の側面の下方寄りには、両側から側面用透孔９２、９６の周縁部がわずかなゆとりを有して当接する。なお、側面用透孔９２、９６の周縁部は、底面板２０に対して垂直方向の楕円を底面板２０に平行な線で屈曲させた形状に当接する。
【００２１】
そしてフラップ４２，４４を折罫線３８，４０で９０°に折る。次に、糊付片６４の裏面側に、先端縁部６４ａに沿って糊付けを行い、折罫線２４，６２をそれぞれ９０°におり、糊付片６４の裏面を側面板２２の表面に糊付けし、包装が完了する。
【００２２】
包装用箱１０を開封するときは、破断部６６の一端部をもって糊付片６４から引き起こす。これにより、破断部６６の切込線６５の間に残っている切り残し部分が破断して、破断部６６が外され、糊付片６４は二分割される。そして、糊付片６４の、折罫線６２寄りの糊付けされていない部分が箱体１２の側面板２２から離れ、上蓋１６が開封される。
【００２３】
この実施形態の包装用箱１０によれば、簡単な構造で、中枠６８の透孔９８と側面用透孔９２，９６の周縁部が、薬瓶１１６の側周面を複数箇所に亘って環状に当接するため、薬瓶１１６はがたつきが無く確実に保持される。これにより、薬瓶１１６を高い緩衝効果を有して保護し、安全で確実に運搬、保管することができる。
【００２４】
また、図５に示すように、中枠６８の側面用透孔９２，９６の底面側に薬瓶１１６の底面が当接するようにしてもよい。このとき、側面用透孔９２，９６は薬瓶１１６の底面に当接し、薬瓶１１６が箱体１２の内側で、保持板７４，７８で支持され浮いた状態で保持される。これにより薬瓶１１６に鉛直方向の振動が加わっても箱体１２の底部にぶつかることが無く、高い緩衝効果を有する。さらに、側面用透孔９２，９６の図面において底面側部分が、ほぼ水平な直線に形成されても良い。
【００２５】
なお、この発明の包装用箱及びその中枠や物品収容枠は、上記実施の形態に限定されるものではなく、当接部は、楕円によるもの以外に円形のものや、多角形でも良く、単に凹部を形成したものでも良い。箱体や中枠の組立工程の順序は、上記実施形態の限定されず、自由に変更可能である。そして、組立にカートナーや製函機を使用しても良い。また、物品収容枠は、箱体に収納せずに、被収容物を保持するための枠として用いても良く、瓶等の細長い物品の保持体等として用いることができる。
【００２６】
【発明の効果】
この発明の包装用箱および物品収容枠は、簡単な構造で、被収容物を安定して保持し、高い緩衝効果を有し保護しながら搬送、保管等を行うことができる。さらに、被収容物の底面を当接部により支持する場合、鉛直方向の衝撃に対しても高い緩衝効果を有する。また被収容物の側周面に、側面用透孔が当接して保持するように当接部を形成することにより、水平方向の衝撃に対して高い緩衝効果を有する。
【図面の簡単な説明】
【図１】この発明の一実施形態の包装用箱の部分破断斜視図である。
【図２】この発明の一実施形態の物品収容枠である中枠の展開図である。
【図３】この発明の一実施形態の包装用箱の箱体の展開図である。
【図４】この発明の一実施形態の中枠の使用状態を示す概略縦断面図である。
【図５】この発明の一実施形態の中枠の変形例を示す使用状態の概略縦断面図である。
【符号の説明】
１０  包装用箱
１２  箱体
１４  箱体形成片
１６  上蓋
１８，２２，３０，３２，１０８，１１０  側面板
２０，７２  底面板
４２，４４  フラップ
４６，４８，５４，５６，６４，８０，１００，１０２  糊付片
６６  破断部
６８  中枠
７０  中枠形成片
７４，７８  保持板
７６  仕切穴板
９２，９６  側面用透孔
９８  透孔
１１６  被収容物
【図１】
0004680398.tif 000002
【図２】
0004680398.tif 000003
【図３】
0004680398.tif 000004
【図４】
0004680398.tif 000005
【図５】
0004680398.tif 000006